(57)【要約】   【課題】屋根から軒樋に流れ込んだ雨水が跳ね返って飛散しても鼻板を濡らすことがなく、長期に亘って鼻板の品質保持ができる軒樋構造を提供することを目的とする。  【解決手段】軒樋４０は前壁４１と後壁４２と底壁４３から成る断面凹形状で、後壁４２の上端部４２ａに軒樋４０の内部４０ａ側に突出する突起４４が形成される。軒樋４０の内部４０ａに斜板４５を設け、斜板４５の上端部４５ａに底壁４３まで垂下する第一の垂直板４６が連結され、斜板４５の下端部４５ｂの近傍４５ｃで折れ曲がり底壁４３まで垂下する第二の垂直板４７を備える。斜板４５は下端部４５ｂが前壁４１と底壁４３で形成される隅部４８に保持され、上端部４５ａが前壁４１に当接して保持されるとともに第一の垂直板４６の下端部４６ａが底壁４３に保持される。斜板４５には水抜き穴４９が形成される。【選択図】  図１
2009102933.tif 000002
【特許請求の範囲】
【請求項１】
前壁と後壁と底壁から成る断面凹形状で後壁を軒先の鼻板側に配置して成る軒樋構造であって、前記軒樋の内部に斜板が設けられ、この斜板の下端部が前記前壁と底壁で形成された隅部に保持されるとともに斜板の上端部が前記後壁に当接して保持されることを特徴とする軒樋構造。
【請求項２】
請求項１に記載の軒樋構造であって、前記斜板の上端部に前記底壁まで垂下する第一の垂直板が連結されることを特徴とする軒樋構造。
【請求項３】
請求項１又は請求項２に記載の軒樋構造であって、前記斜板に複数の水抜き穴が形成されることを特徴とする軒樋構造。
【請求項４】
請求項１乃至請求項３のいずれか１項に記載の軒樋構造であって、前記斜板は下端部近傍で折れ曲がり垂下する第二の垂直板を備えることを特徴とする軒樋構造。
【発明の詳細な説明】
【技術分野】
【０００１】
本発明は、建築物の軒先に取付けられる軒樋構造に関し、詳しくは、軒樋に落下する雨水が跳ね返っても鼻板を濡らすことがない軒樋構造に関する。
【背景技術】
【０００２】
従来、軒樋に落下する雨水が跳ね返って鼻板を濡らすことにより鼻板が汚れることがあり、見栄えが悪く品質が損なわれるという問題があった。
【０００３】
この問題を解決する方法が特許文献１に開示されている。図５、図６に示すように、特許文献１の軒樋１０は断面凹形状で、軒樋本体１３の先端に前耳部１１を形成する係止片１４を備え、軒樋本体１３の建物側に後耳部１２を備える。
【０００４】
樋吊金具２０は吊着部２６と鼻板７に固定する固定片２３とからなる。固定片２３には凹状の耳受部２４が設けられこの耳受部２４に軒樋１０の後耳部１２が係合される。吊着部２６は固定片２３の上端から取着部２５を介して外側に支持片２７を突き出し支持片２７の先端に軒樋１０の前耳部１１が挿入係合される。
【０００５】
軒樋１０には開口部１０ａを覆うネット２を備える。ネット２は前端縁３ｂに備える係止片６を軒樋１０の前耳部１１に挿着することにより軒樋１０に取付けることができる。
【０００６】
このとき、樋吊金具２０の支持片２７の上面に係止突片２１が形成され、この係止突片２１の先端に折曲した係止部２１ａを備え、係止突片２１をネット２の網目２ａから突き出して折曲した係止部２１ａによりネット２を係止することができる。
【０００７】
ネット２は軒樋１０内に落葉が落下することを防止するためのもので、雨水Pはネット２の網目２ａを通過して軒樋１０内に流れ込むことができる。
【０００８】
さらに、ネット２の建屋側の後端縁３ａに傾斜片４を備え、この傾斜片４は先端を建屋側の上方に立上げて、屋根から流下してくる雨水を軒樋１０内に導くためのものである。傾斜片４の先端には内側にＵ字状に折曲する折曲片５を備えている。この折曲片５によって、横なぐりの雨水や鼻板７側に跳ね返った雨水を傾斜片４上に滴下して雨水を軒樋１０内に確実に導くことができる。
【特許文献１】特開平７−３１７２３７号公報
【発明の開示】
【発明が解決しようとする課題】
【０００９】
ところが、軒樋の底板は外観のデザイン性向上のために長手方向では水勾配を設けるものの前後方向は水平勾配で取付けられ、さらに、軒樋は一定間隔毎に隣接する一対の軒樋の内周部に沿って設けられる接続部材で連結されるので、軒樋の底板には各接続部材が堰となって雨水が溜まり易い状態である。このため、特許文献１の構成であれば、ネット２の網目を通過した雨水Pが底板に溜まった雨水によって跳ね返って網目から容易に飛び出し傾斜片４を越えて鼻板を濡らすことあった。このため、経年変化によって鼻板が汚れて品質性が損なわれるという問題があった。
【００１０】
そこで、本発明はかかる従来技術の問題に鑑みなされたものであって、屋根から軒樋に流れ込んだ雨水が跳ね返って飛散しても鼻板を濡らすことがなく、長期に亘って鼻板の品質保持ができる軒樋構造を提供することを目的とする。
【課題を解決するための手段】
【００１１】
請求項１の発明は、前壁と後壁と底壁から成る断面凹形状で後壁を軒先の鼻板側に配置して成る軒樋構造であって、前記軒樋の内部に斜板が設けられ、この斜板の下端部が前記前壁と底壁で形成された隅部に保持されるとともに斜板の上端部が前記後壁に当接して保持されることを特徴としている。
【００１２】
請求項２の発明は、請求項１に記載の軒樋構造であって、前記斜板の上端部に前記底壁まで垂下する第一の垂直板が連結されることを特徴としている。このため、前記斜板の上端部は前記後壁に当接して保持されるとともに第一の垂直板によって前記底壁に保持される。
【００１３】
請求項３の発明は、請求項１又は請求項２に記載の軒樋構造であって、前記斜板に複数の水抜き穴が形成されることを特徴としている。
【００１４】
請求項４の発明は、請求項１乃至請求項３のいずれか１項に記載の軒樋構造であって、前記斜板は下端部近傍で折れ曲がり垂下する第二の垂直板を備えることを特徴としている。
【発明の効果】
【００１５】
請求項１記載の発明によれば、前記軒樋の内部に斜板が設けられ、この斜板の下端部が前記前壁と底壁で形成された隅部に保持されるとともに斜板の上端部が前記後壁に当接して保持されるので、斜板は自重によって安定して軒樋の内部に配置できる。そして、屋根から軒樋に流れ込んだ雨水が軒樋の内部で斜板に衝突して跳ね返っても斜板が前記前壁方向に傾斜しているので鼻板を濡らすことがなく、長期に亘って鼻板の品質保持することができる。
【００１６】
また、軒樋に進入した落ち葉等は斜板の傾斜によって自然に前壁側に移動して集積するので、斜板の後壁側は長期に亘って落ち葉等で覆われない傾斜面を保持できるので軒樋の水つまりが防止できる。
【００１７】
請求項２の発明によれば、前記斜板の上端部は第一の垂直板によって底壁に強固に保持されるので斜板は軒樋の内部にさらに安定して配置できるため請求項１に記載の効果と同様の効果がさらに確実に得られる。
【００１８】
請求項３の発明によれば、前記斜板に複数の水抜き穴が形成されるので、雨水は水抜き穴から前記斜板の下方空間を経て容易に排出する。このため、軒樋に進入した落ち葉等が斜板に集積しても、雨水が下方空間によって軒樋から溢れることなく確実且つ容易に排出することができるので、軒樋から溢れる雨水で鼻板を濡らすことがなく鼻板の品質保持することができる。
【００１９】
請求項４の発明によれば、前記斜板は下端部近傍で折れ曲がり垂下する第二の垂直板を備えるので、前記斜板の下方空間の容積が増えるので、請求項３に記載の効果と同様の効果がさらに確実に得られる。
【発明を実施するための最良の形態】
【００２０】
[軒樋構造の構成]  
以下に、本発明の第一の実施形態を図１に基づいて説明する。
【００２１】
図１に示すように、吊金具６０に吊下げられる軒樋４０は高さＨ１の前壁４１と高さＨ２の後壁４２と幅Ｂの底壁４３から成る断面凹形状で前壁４１は軒樋４０の外部側に底壁４３から幅Ｂ１だけ凸状に湾曲し、後壁４２は垂直で、底壁４３は水平に形成される。ここで、Ｈ１＞Ｈ２である。  
【００２２】
後壁４２の上端部４２ａに軒樋４０の内部４０ａ側に突出する後耳としての突起４４を備える。突起４４は後壁４２の上端部４２ａから後壁４２と間隔Ｓ１で連続して逆Ｕ字状に折り曲げて突起内板４４ａを形成し、突起内板４４ａの先端部４４ｂの近傍において上端部４２ａと突起内板４４ａは水平な突起底板４４ｃで連結される。後壁４２と先端部４４ｂと突起底板４４ｃに囲まれる領域が突起４４の保持部４４ｄである。より詳しくは、後壁４２の上端部４２ａは斜めに折り曲げられ角取りされている。
【００２３】
同様に、前壁４１の上端部４１ａに軒樋４０の内部４０ａ側に詳細構造を説明しない前耳としての突起４１ｂが設けられる。
【００２４】
吊金具６０は略水平状の吊金具本体６０ａの先端部に第一係止部６０ｂと後端部に第二係止部６０ｃを備え、吊金具本体６０ａは固着部６０ｄを介して建物の軒先の鼻板５０に取付けられる。そして、軒樋４０の突起４１ｂが第一係止部６０ｂに、軒樋４０の突起４４が保持部４４ｄを介して第二係止部６０ｃにそれぞれ係止される。屋根５１の先端部５１ａの下方に雨水が巻き込まれても鼻板５０側に流れないようにガイドするための水切り５２が設けられる。
【００２５】
軒樋４０と屋根５１の位置関係は、屋根５１の延長線上に軒樋４０の前壁４１の上端部４１ａが位置し、屋根５１の先端部５１ａが前壁４１の上端部４１ａと鼻板５０の略中央に位置する。
【００２６】
そして、軒樋４０の内部４０ａに斜板４５が水平長さＬ１で設けられ、水平長さＬ１は軒樋４０の底壁４３の内法と略等しい長さに設定される。斜板４５の上端部４５ａに底壁４３まで垂下する第一の垂直板４６が高さＨ３で連結され、斜板４５の下端部４５ｂには下端部４５ｂの近傍４５ｃで折れ曲がり底壁４３まで垂下する第二の垂直板４７が高さＨ４で形成される。
【００２７】
斜板４５には直径Ｋの水抜き穴４９が形成される。水抜き穴４９は斜板４５の上下方向に５個、長手方向にピッチＰで複数形成される。このように、軒樋４０の内部４０ａは斜板４５によって下方空間４０ｂと上方空間４０ｃに区分される。
【００２８】
軒樋の材質は、ステンレスや亜鉛メッキをした金属、あるいは軽量化や耐腐食性を考慮して例えば硬質塩化ビニール樹脂等の合成樹脂材料で形成される。斜板４５の材質は、ステンレスや亜鉛メッキをした金属が用いられる。
【００２９】
図１に示すように、斜板４５の上端部４５ａが後壁４２の突起４４の保持部４４ｄに近接して配置されるので、上端部４５ａが吊金具６０の第二係止部６０ｃに干渉する。この干渉を避けるために図示しないが上端部４５ａと第一の垂直板４６の一部が切除される。なお、上端部４５ａと第一の垂直板４６が第二係止部６０ｃに干渉しないように第一の垂直板４６の高さＨ３を調整すると、上端部４５ａと第一の垂直板４６の一部を切除する必要はない。
[軒樋構造の作用]
【００３０】
図１に示すように、斜板４５は斜板４５の下端部４５ｂが前壁４１と底壁４３で形成される隅部４８に保持される。上端部４５ａは後壁４２に当接して保持されるとともに、実質的に第一の垂直板４６の下端部４６ａが底壁４３の端部４３аで保持される。このため、上方からの雨水等の加重に対して斜板４５は安定した状態で軒樋４０の内部４０ａに配置できる。そして、斜板４５が前壁４１方向に下方傾斜しているので、屋根５１から軒樋４０に流れ込んだ雨水は矢印Ｗで示すように軒樋の内部で斜板に衝突したのち前壁４１側に跳ね返るので鼻板５０を濡らすことがないので、長期に亘って鼻板の品質を保持することができる。
【００３１】
また、軒樋に進入した落ち葉５３等は重力で斜板の傾斜に沿って自然に前壁側に移動して集積して斜板の後壁側は長期に亘って落ち葉等で覆われない状態が保持できる。このため、雨水の詰まりが生じにくくなり、軒樋内部の掃除も容易にできる。斜板４５には複数の水抜き穴４９が形成されるので、雨水は水抜き穴４９によって下方空間４０ｂに流れ込み雨水が軒樋から溢れることなく下方空間４０ｂによって確実且つ容易に流出することができる。
【００３２】
[本発明の第二の実施形態]
本発明の第二の実施形態の軒樋構造を図３を用いて説明するが、図１、図２に示す軒樋構造の構成と同様の構成部分については図面に同符号を付して重複した説明を省略する。
【００３３】
斜板４５の上端部４５ａに第一の垂直板が連結されるが、図１に示したような第二の垂直板４７が使用されない。斜板４５の下端部４５ｂは前壁４１と底壁４３で形成される隅部４８に保持される。そして、上端部４５ａは後壁４２に当接して保持されるが、実質的に第一の垂直板４６の下端部４６ａが底壁４３の端部４３аで保持される。この場合、図１に示したような第二の垂直板４７が使用されないので、本発明の第一の実施形態に比べて上方空間４０ｃを広く確保できるので落ち葉５３等の受け容量が増えるため、軒樋４０の掃除頻度の間隔を長くすることができる。
【００３４】
[本発明の第三の実施形態]
本発明の第三の実施形態の軒樋構造を図４を用いて説明するが、図１、図２に示す軒樋構造の構成と同様の構成部分については図面に同符号を付して重複した説明を省略する。
【００３５】
斜板４５は直線状で上端部４５ａと下端部４５ｂには第一の垂直板と第二の垂直板が連結されない。この場合でも斜板４５は自重によって安定して斜板４５の下端部４５ｂが隅部４８に保持され、上端部４５ａが後壁４２に保持される。このため斜板４５の製作コストを下げることができる。
【００３６】
以上、本発明の実施例を図面に基づいて説明したが、具体的な構成はこの実施例に限られるものではなく本発明の要旨を逸脱しない範囲の設計変更等があっても本発明に含まれる。
【００３７】
例えば、斜板４５に水抜き穴４９が形成されない構成でも構わない。この場合、図１に示すように、雨水は斜板４５の落ち葉５３等を除く上方空間４０ｃによって軒樋から流出することができる。なお、一部の雨水は斜板４５の下端部４５ｂの隙間から下方空間４０ｂを経て軒樋から流出する。
【００３８】
斜板４５の水抜き穴４９は斜板４５の上下方向に５個、長手方向にピッチＰで複数形成されるパターンには拘らず、他のパターンでも網状でも構わない。水抜き穴４９の形状は円形、長円形、その他任意の形状でよい。
【００３９】
斜板４５の配置は吊金具６０の設置部分を避けて軒樋の長手方向に断続的に配置してもよい。この場合、吊金具６０下方に斜板４５が存在しないが雨水の跳ね返りは吊金具６０自身で防止できるので鼻板５０を濡らすことがない。
【００４０】
軒樋４０の構造として前壁４１近傍の底壁４３が一段高い略水平の二段底に形成されている場合でも、底壁４３とこの二段底で形成される隅部によって斜板４５の下端部４５ｂが保持される。
【図面の簡単な説明】
【００４１】
【図１】本発明の第一の実施形態における、軒先の鼻板５０に取付けられた軒樋４０に斜板４５が組み込まれた状態を示す軒樋構造の断面図である。
【図２】本発明の第一の実施形態における、斜板４５に複数の水抜き穴４９が形成された状態を示す斜視図である。
【図３】本発明の第二の実施形態における、斜板４５の上端部４５ａに底壁４３まで垂下する第一の垂直板４６を備える状態を示す軒樋構造の断面図である。
【図４】本発明の第三の実施形態における、直線状の斜板４５を備える軒樋構造の断面図である。
【図５】従来の建物に取付けられた軒樋１０の状態を示す断面図である。
【図６】従来の軒樋１０にネット２を備えた状態を示す一部断面斜視図である。
【符号の説明】
【００４２】
４０  軒樋
４０ａ  内部
４１  前壁
４２  後壁
４２ａ  上端部
４３  底壁
４４  突起
４５  斜板
４５ａ  上端部
４５ｂ  下端部
４５ｃ  近傍
４６  第一の垂直板
４７  第二の垂直板
４８  隅部
４９  水抜き穴
【図１】
2009102933.tif 000003
【図２】
2009102933.tif 000004
【図３】
2009102933.tif 000005
【図４】
2009102933.tif 000006
【図５】
2009102933.tif 000007
【図６】
2009102933.tif 000008